(57)【要約】【課題】発光素子を用いた発光装置の発光素子モジュールの出力ピンの削減、実装作業の単純化、製造工程数の削減、歩留まりの上昇、及び信頼性の向上を図ることができ、発光素子モジュールの小型化が容易な発光素子の温度測定方法の提供。【解決手段】発光素子１の光出力に応じて、逆方向電圧を印加されたフォトダイオード２に流れる電流の値に基づき、その光出力を制御される発光素子１の温度測定方法。発光素子１をフォトダイオード２と熱的に結合しておき、フォトダイオード２に逆方向電圧を印加して流れる電流を測定する期間と、フォトダイオード２に順方向電圧を印加して順方向電流及び電圧の関係を測定する期間とを切り換え、順方向電流及び電圧の関係に基づき発光素子１の温度を測定する。【選択図】図１
2007258491.tif 000002
【特許請求の範囲】
【請求項１】
発光素子の光出力に応じて、逆方向電圧を印加されたフォトダイオードに流れる電流の値に基づき、その光出力を制御される前記発光素子の温度測定方法において、
前記発光素子を前記フォトダイオードと熱的に結合しておき、該フォトダイオードに逆方向電圧を印加して前記電流を測定する期間と、前記フォトダイオードに順方向電圧を印加して順方向電流及び電圧の関係を測定する期間とを切り換え、該関係に基づき前記発光素子の温度を測定することを特徴とする発光素子の温度測定方法。
【請求項２】
発光素子の光出力に応じて、逆方向電圧を印加されたフォトダイオードに流れる電流の値に基づき、前記発光素子の光出力が制御され、該光出力によりバースト送信する送信方法において、
前記発光素子を前記フォトダイオードと熱的に結合しておき、該フォトダイオードに逆方向電圧を印加して前記電流を測定する期間と、前記バースト送信間の、前記発光素子が発光しない期間とを切り換え、前記発光素子が発光しない期間に、前記フォトダイオードに順方向電圧を印加して順方向電流及び電圧の関係を測定し、測定した該関係に基づき前記発光素子の温度を測定することを特徴とする送信方法。
【請求項３】
発光素子と、逆方向電圧を印加されたフォトダイオードとを備え、前記発光素子の光出力に応じて前記フォトダイオードに流れる電流の値に基づき、前記発光素子の光出力を制御するように構成してある発光装置において、
前記発光素子及びフォトダイオードは熱的に結合されており、該フォトダイオードに逆方向電圧を印加して前記電流を測定する期間、及び前記フォトダイオードに順方向電圧を印加する期間を所定のタイミングで切り換える切換回路と、前記順方向電圧を印加する期間に、前記フォトダイオードの順方向電流及び電圧の関係を測定する測定回路とを備え、該測定回路が測定した前記関係に基づき、前記発光素子の冷却制御、該発光素子の加熱制御、該発光素子のオフ制御、又は温度異常を示す警報信号の出力を実行するように構成してあることを特徴とする発光装置。
【請求項４】
前記測定回路が測定した関係から求めた温度値を、前記電流を測定する期間に保持する温度値保持回路と、前記フォトダイオードに逆方向電圧を印加して測定した電流の値を、前記順方向電圧を印加する期間に保持する電流値保持回路とを備え、前記温度値保持回路が保持する温度値に基づき、前記発光素子を冷却制御又は加熱制御し、前記電流値保持回路が保持する電流値に基づき、前記発光素子の光出力を制御するように構成してある請求項３記載の発光装置。
【請求項５】
発光素子の光出力に応じて、逆方向電圧を印加されたフォトダイオードに流れる電流の値に基づき、前記発光素子の光出力が制御され、該光出力によりバースト送信する送信装置において、
前記発光素子及びフォトダイオードは熱的に結合されており、該フォトダイオードに逆方向電圧を印加して前記電流を測定する期間と、前記バースト送信間の、前記発光素子が発光しない期間とを切り換える切換回路と、前記発光素子が発光しない期間に、前記フォトダイオードに順方向電圧を印加する印加回路と、該印加回路が順方向電圧を印加したフォトダイオードの順方向電流及び電圧の関係を測定する測定回路とを備え、該測定回路が測定した関係に基づき、前記発光素子の冷却制御、該発光素子の加熱制御、該発光素子のオフ制御、又は温度異常を示す警報信号の出力を実行するように構成してあることを特徴とする送信装置。
【発明の詳細な説明】
【技術分野】
【０００１】
本発明は、発光素子の温度測定方法、この発光素子を使用した送信方法、この発光素子を使用した発光装置、及びこの発光素子を使用した送信装置に関するものである。
【背景技術】
【０００２】
レーザダイオード等の発光素子は、発熱量が大きく、また、温度が上昇し過ぎると、出力波長が変化したり出力が低下するので、温度が一定になるように制御しており、冷却制御、加熱制御、オフ制御の為に温度を測定している。
従来、発光素子の温度を測定する方法として、温度に応じて抵抗値が変化するサーミスタを、発光素子近辺に配置し、サーミスタの抵抗値の変化を外部から検出することにより、発光素子の温度を測定していた。
【０００３】
特許文献１には、サーミスタで得た温度情報を光検出器の温度特性補償に利用する半導体レーザ及び光量検出回路が開示されている。また、特許文献２には、サーミスタで得た温度情報に応じて冷却することにより、レーザダイオードの温度を一定に保つペルチェクーラ及び光素子モジュールが開示されている。
【特許文献１】特開平０８−１３９３９５号公報
【特許文献２】特開平１１−０５４８０６号公報
【発明の開示】
【発明が解決しようとする課題】
【０００４】
上述した従来の発光素子の温度測定方法では、温度測定専用のサーミスタが必要であり、その為、発光素子モジュールの出力ピンの増加、実装作業の複雑化、製造工程数の増加、歩留まりの低下、信頼性の低下、及び小型化への障害を招いているという問題がある。
本発明は、上述したような事情に鑑みてなされたものであり、第１発明では、発光素子を用いた発光装置の発光素子モジュールの出力ピンの削減、実装作業の単純化、製造工程数の削減、歩留まりの上昇、及び信頼性の向上を図ることができ、発光素子モジュールの小型化が容易な発光素子の温度測定方法を提供することを目的とする。
第２発明では、発光素子を用いた送信装置の発光素子モジュールの出力ピンの削減、実装作業の単純化、製造工程数の削減、歩留まりの上昇、及び信頼性の向上を図ることができ、発光素子モジュールの小型化が容易な送信方法を提供することを目的とする。
【０００５】
第３発明では、発光素子モジュールの出力ピンの削減、実装作業の単純化、製造工程数の削減、歩留まりの上昇、及び信頼性の向上を図ることができ、発光素子モジュールの小型化が容易な発光装置を提供することを目的とする。
第４発明では、動作が安定し、発光素子モジュールの出力ピンの削減、実装作業の単純化、製造工程数の削減、歩留まりの上昇、及び信頼性の向上を図ることができ、発光素子モジュールの小型化が容易な発光装置を提供することを目的とする。
第５発明では、発光素子モジュールの出力ピンの削減、実装作業の単純化、製造工程数の削減、歩留まりの上昇、及び信頼性の向上を図ることができ、発光素子モジュールの小型化が容易な送信装置を提供することを目的とする。
【課題を解決するための手段】
【０００６】
第１発明に係る発光素子の温度測定方法は、発光素子の光出力に応じて、逆方向電圧を印加されたフォトダイオードに流れる電流の値に基づき、その光出力を制御される前記発光素子の温度測定方法において、前記発光素子を前記フォトダイオードと熱的に結合しておき、該フォトダイオードに逆方向電圧を印加して前記電流を測定する期間と、前記フォトダイオードに順方向電圧を印加して順方向電流及び電圧の関係を測定する期間とを切り換え、該関係に基づき前記発光素子の温度を測定することを特徴とする。
【０００７】
この発光素子の温度測定方法では、発光素子の光出力に応じて、逆方向電圧を印加されたフォトダイオードに流れる電流の値に基づき、その光出力を制御される発光素子の温度を測定する。発光素子をフォトダイオードと熱的に結合しておき、フォトダイオードに逆方向電圧を印加してその流れる電流を測定する期間と、フォトダイオードに順方向電圧を印加してその順方向電流及び電圧の関係を測定する期間とを切り換え、その順方向電流及び電圧の関係に基づき前記発光素子の温度を測定する。
【０００８】
第２発明に係る送信方法は、発光素子の光出力に応じて、逆方向電圧を印加されたフォトダイオードに流れる電流の値に基づき、前記発光素子の光出力が制御され、該光出力によりバースト送信する送信方法において、前記発光素子を前記フォトダイオードと熱的に結合しておき、該フォトダイオードに逆方向電圧を印加して前記電流を測定する期間と、前記バースト送信間の、前記発光素子が発光しない期間とを切り換え、前記発光素子が発光しない期間に、前記フォトダイオードに順方向電圧を印加して順方向電流及び電圧の関係を測定し、測定した該関係に基づき前記発光素子の温度を測定することを特徴とする。
【０００９】
この送信方法では、発光素子の光出力に応じて、逆方向電圧を印加されたフォトダイオードに流れる電流の値に基づき、発光素子の光出力が制御され、発光素子の光出力によりバースト送信する。発光素子をフォトダイオードと熱的に結合しておき、フォトダイオードに逆方向電圧を印加してその流れる電流を測定する期間と、バースト送信間の、発光素子が発光しない期間とを切り換え、発光素子が発光しない期間に、フォトダイオードに順方向電圧を印加してその順方向電流及び電圧の関係を測定し、測定したその順方向電流及び電圧の関係に基づき発光素子の温度を測定する。
【００１０】
第３発明に係る発光装置は、発光素子と、逆方向電圧を印加されたフォトダイオードとを備え、前記発光素子の光出力に応じて前記フォトダイオードに流れる電流の値に基づき、前記発光素子の光出力を制御するように構成してある発光装置において、前記発光素子及びフォトダイオードは熱的に結合されており、該フォトダイオードに逆方向電圧を印加して前記電流を測定する期間、及び前記フォトダイオードに順方向電圧を印加する期間を所定のタイミングで切り換える切換回路と、前記順方向電圧を印加する期間に、前記フォトダイオードの順方向電流及び電圧の関係を測定する測定回路とを備え、該測定回路が測定した前記関係に基づき、前記発光素子の冷却制御、該発光素子の加熱制御、該発光素子のオフ制御、又は温度異常を示す警報信号の出力を実行するように構成してあることを特徴とする。
【００１１】
この発光装置では、フォトダイオードが逆方向電圧を印加され、発光素子の光出力に応じてフォトダイオードに流れる電流の値に基づき、発光素子の光出力を制御する。発光素子及びフォトダイオードは熱的に結合されており、切換回路が、フォトダイオードに逆方向電圧を印加してその流れる電流を測定する期間、及びフォトダイオードに順方向電圧を印加する期間を所定のタイミングで切り換える。測定回路が、順方向電圧を印加する期間に、フォトダイオードの順方向電流及び電圧の関係を測定し、測定回路が測定した関係に基づき、発光素子の冷却制御、発光素子の加熱制御、発光素子のオフ制御、又は温度異常を示す警報信号の出力を実行する。
【００１２】
第４発明に係る発光装置は、前記測定回路が測定した関係から求めた温度値を、前記電流を測定する期間に保持する温度値保持回路と、前記フォトダイオードに逆方向電圧を印加して測定した電流の値を、前記順方向電圧を印加する期間に保持する電流値保持回路とを備え、前記温度値保持回路が保持する温度値に基づき、前記発光素子を冷却制御又は加熱制御し、前記電流値保持回路が保持する電流値に基づき、前記発光素子の光出力を制御するように構成してあることを特徴とする。
【００１３】
この発光装置では、測定回路が測定した関係から求めた温度値を、その流れる電流を測定する期間に温度値保持回路が保持し、フォトダイオードに逆方向電圧を印加して測定した電流の値を、順方向電圧を印加する期間に電流値保持回路が保持する。温度値保持回路が保持する温度値に基づき、発光素子を冷却制御又は加熱制御し、電流値保持回路が保持する電流値に基づき、発光素子の光出力を制御する。
【００１４】
第５発明に係る送信装置は、発光素子の光出力に応じて、逆方向電圧を印加されたフォトダイオードに流れる電流の値に基づき、前記発光素子の光出力が制御され、該光出力によりバースト送信する送信装置において、前記発光素子及びフォトダイオードは熱的に結合されており、該フォトダイオードに逆方向電圧を印加して前記電流を測定する期間と、前記バースト送信間の、前記発光素子が発光しない期間とを切り換える切換回路と、前記発光素子が発光しない期間に、前記フォトダイオードに順方向電圧を印加する印加回路と、該印加回路が順方向電圧を印加したフォトダイオードの順方向電流及び電圧の関係を測定する測定回路とを備え、該測定回路が測定した関係に基づき、前記発光素子の冷却制御、該発光素子の加熱制御、該発光素子のオフ制御、又は温度異常を示す警報信号の出力を実行するように構成してあることを特徴とする。
【００１５】
この送信装置では、発光素子の光出力に応じて、逆方向電圧を印加されたフォトダイオードに流れる電流の値に基づき、発光素子の光出力が制御され、発光素子の光出力によりバースト送信する。切換回路が、フォトダイオードに逆方向電圧を印加して流れる電流を測定する期間と、バースト送信間の、発光素子が発光しない期間とを切り換える。発光素子が発光しない期間に、印加回路が、フォトダイオードに順方向電圧を印加し、測定回路が、そのフォトダイオードの順方向電流及び電圧の関係を測定する。測定回路が測定した関係に基づき、発光素子の冷却制御、発光素子の加熱制御、発光素子のオフ制御、又は温度異常を示す警報信号の出力を実行する。
【発明の効果】
【００１６】
第１発明に係る発光素子の温度測定方法によれば、発光素子を用いた発光装置の発光素子モジュールの出力ピンの削減、実装作業の単純化、製造工程数の削減、歩留まりの上昇、及び信頼性の向上を図ることができ、発光素子モジュールの小型化が容易な発光素子の温度測定方法を実現することができる。
【００１７】
第２発明に係る送信方法によれば、発光素子を用いた送信装置の発光素子モジュールの出力ピンの削減、実装作業の単純化、製造工程数の削減、歩留まりの上昇、及び信頼性の向上を図ることができ、発光素子モジュールの小型化が容易なバースト送信する送信方法を実現することができる。
【００１８】
第３発明に係る発光装置によれば、発光素子モジュールの出力ピンの削減、実装作業の単純化、製造工程数の削減、歩留まりの上昇、及び信頼性の向上を図ることができ、発光素子モジュールの小型化が容易な発光装置を実現することができる。
【００１９】
第４発明に係る発光装置によれば、動作が安定し、発光素子モジュールの出力ピンの削減、実装作業の単純化、製造工程数の削減、歩留まりの上昇、及び信頼性の向上を図ることができ、発光素子モジュールの小型化が容易な発光装置を実現することができる。
【００２０】
第５発明に係る送信装置によれば、発光素子モジュールの出力ピンの削減、実装作業の単純化、製造工程数の削減、歩留まりの上昇、及び信頼性の向上を図ることができ、発光素子モジュールの小型化が容易なバースト送信する送信装置を実現することができる。
【発明を実施するための最良の形態】
【００２１】
以下に、本発明を、その実施の形態を示す図面を参照しながら説明する。
図１は、本発明に係る発光装置及び送信装置の実施の形態の構成を示すブロック図である。この発光装置（送信装置）は、ＡＰＣ（Automatic Power Control）制御回路／ＬＤ（Laser Diode）駆動回路３が、発光素子であるレーザダイオード１を駆動し、送信信号に応じて、レーザダイオード１の光出力を変調する。
レーザダイオード１の光出力の一部は、レーザダイオード１に近設されて熱的に結合され、ＰＤ（Photo Diode）電流／電圧測定回路４により駆動されるフォトダイオード２で電流に変換されて検出される。
【００２２】
フォトダイオード２は、ＰＤ電流／電圧測定回路（測定回路）４により逆方向電圧を印加されているときは、レーザダイオード１の光出力の一部を電流変換して検出し、検出した光出力値（電流値）はＰＤ電流情報として、ＡＰＣ制御回路／ＬＤ駆動回路３に与えられる。
ＡＰＣ制御回路／ＬＤ駆動回路３は、与えられたＰＤ電流情報に基づき、レーザダイオード１の光出力が一定となるように制御する。
【００２３】
フォトダイオード２は、ＰＤ電流／電圧測定回路４により順方向電圧を印加されているときは、その両端電圧を測定され、測定された両端電圧は、順方向電圧情報として、ＡＴＣ（Automatic Temperature Control）制御回路６に与えられる。
ここで、フォトダイオードは、図２の特性図に示すように、順方向立ち上がり電圧が約−１ｍＶ／℃の温度変化を示すことが知られている。
【００２４】
従って、フォトダイオード２に順方向電圧を印加するときに、一定電流を流すようにしておけば、その両端電圧はフォトダイオード２の温度に対応し、また、近設するレーザダイオード１の温度にも対応する。その為、その両端電圧を一定に保つように、レーザダイオード１を制御することにより、レーザダイオード１の温度を一定にすることができ、波長変動及び高温時の出力低下等の出力特性の変動を回避することができる。
【００２５】
ＡＴＣ制御回路６は、与えられた順方向電圧情報に基づき、ＴＥＣ（Thermo Electric Cooler；熱電冷却器、ペルチェ素子等）５を駆動制御して、冷却又は加熱することによりレーザダイオード１の温度を一定に維持する。
レーザダイオード１、フォトダイオード２及びＴＥＣ５は、発光素子モジュール７内に組み込まれており、レーザダイオード１は、端子ＬＤ＋，ＬＤ−により外部のＡＰＣ制御回路／ＬＤ駆動回路３に接続されている。フォトダイオード２は、端子ＰＤ＋，ＰＤ−により外部のＰＤ電流／電圧測定回路４に接続され、ＴＥＣ５は、端子ＴＥＣ＋，ＴＥＣ−により外部のＡＴＣ制御回路６に接続されている。
【００２６】
図３は、ＰＤ電流／電圧測定回路４の構成例を模式的に示すブロック図である。ＰＤ電流／電圧測定回路４は、切換回路８が、フォトダイオード２のカソードに、接地電位又は電源電圧Ｖccを切り換えて印加する。また、切換回路９が、フォトダイオード２のアノードに、抵抗Ｒ１を通じて、電源電圧Ｖcc又は接地電位を切り換えて印加する。切換回路８，９（印加回路）はそれぞれ切換制御回路１０により駆動制御される。
【００２７】
Ａ／Ｄ変換器１１が、フォトダイオード２のアノード及び抵抗Ｒ１間の電圧を検出してディジタル信号に変換し、切換制御回路（印加回路）１０は、このディジタル信号をＰＤ電流情報保持回路（電流値保持回路）１２又は順方向電圧情報保持回路（温度値保持回路）１３に切り換えながら与える。ＰＤ電流情報保持回路１２が保持（サンプルホールド）するＰＤ電流情報は、ＡＰＣ制御回路３に与えられ、順方向電圧情報保持回路１３が保持（サンプルホールド）する順方向電圧情報は、ＡＴＣ制御回路６に与えられる。
【００２８】
このような構成の発光装置及び送信装置では、切換制御回路１０は、レーザダイオード１が発光しないタイミングに合わせて、又は独自の所定のタイミングに合わせて、フォトダイオード２に印加する電圧を、逆方向電圧又は順方向電圧に切り換える。
フォトダイオード２に逆方向電圧を印加するとき、切換制御回路１０は、切換回路８を電源電圧Ｖcc側に切り換え、切換回路９を接地電位側に切り換える。Ａ／Ｄ変換器１１は、フォトダイオード２に流れる逆方向電流を、抵抗Ｒ１の両端電圧として検出し、ディジタル信号に変換して、ＰＤ電流情報として切換制御回路１０に与える。切換制御回路１０は、ＰＤ電流情報をＰＤ電流情報保持回路１２に保持させる。
【００２９】
ＡＰＣ制御回路／ＬＤ駆動回路３は、ＰＤ電流情報保持回路１２に保持されたＰＤ電流情報に基づき、レーザダイオード１の光出力が一定となるように制御する。
また、フォトダイオード２に逆方向電圧を印加しているときにも、ＡＴＣ制御回路６は、順方向電圧情報保持回路１３に保持された順方向電圧情報に基づき、ＴＥＣ５を駆動制御して、レーザダイオード１の温度を一定に維持する。
【００３０】
フォトダイオード２に順方向電圧を印加するとき、切換制御回路１０は、切換回路８を接地電位側に切り換え、切換回路９を電源電圧Ｖcc側に切り換える。Ａ／Ｄ変換器１１は、フォトダイオード２の両端電圧を検出し、ディジタル信号に変換して、順方向電圧情報として切換制御回路１０に与える。切換制御回路１０は、順方向電圧情報を順方向電圧情報保持回路１３に保持させる。
【００３１】
ＡＴＣ制御回路６は、順方向電圧情報保持回路１３に保持された順方向電圧情報に基づき、ＴＥＣ５を駆動制御して、レーザダイオード１の温度を一定に維持する。また、場合によっては、レーザダイオード１の電源をオフにする。
また、フォトダイオード２に順方向電圧を印加しているときにも、ＡＰＣ制御回路／ＬＤ駆動回路３は、ＰＤ電流情報保持回路１２に保持されたＰＤ電流情報に基づき、レーザダイオード１の光出力が一定となるように制御する。
尚、図３では、逆方向に印加する電圧と順方向に印加する電圧とが、共に電圧Ｖccである場合を示しているが、それぞれ異なる電圧を用いても良い。
【００３２】
図４は、図３に示すＰＤ電流／電圧測定回路４の構成例を更に具体的に示すブロック図である。このＰＤ電流／電圧測定回路４は、切換回路８，９が、ブリッジ回路で構成されており、ドレインが電源電圧Ｖccに接続されたＮチャネルＦＥＴ（Field Effect Transistor）Ｔ３のソースと、ソースが接地電位に接続されたＮチャネルＦＥＴＴ４のドレインとが接続されている。また、ドレインが電源電圧Ｖccに接続されたＮチャネルＦＥＴＴ１のソースと、ソースが接地電位に接続されたＮチャネルＦＥＴＴ２のドレインとが接続されている。
【００３３】
ＦＥＴ（印加回路）Ｔ３，Ｔ４の共通接続節点にフォトダイオード２のカソードが接続され、ＦＥＴ（印加回路）Ｔ１，Ｔ２の共通接続節点には、フォトダイオード２のアノードが、抵抗Ｒ１を通じて接続されている。ＦＥＴＴ１，Ｔ２，Ｔ３，Ｔ４の各ゲートは、それぞれ切換制御回路１０によりオン／オフ制御される。
Ａ／Ｄ変換器１１が、フォトダイオード２のアノード及び抵抗Ｒ１間の電圧を検出してディジタル信号に変換し、切換制御回路１０は、このディジタル信号をＰＤ電流情報保持回路１２又は順方向電圧情報保持回路１３に切り換えながら与える。
【００３４】
このような構成の発光装置及び送信装置では、切換制御回路１０は、図５のタイミングチャートに示すように、レーザダイオード１が発光して、バースト送信する期間（ｃ）は、ＦＥＴＴ１，Ｔ４をオフに（ａ）、ＦＥＴＴ２，Ｔ３をオンに（ｂ）して、フォトダイオード２に逆方向電圧を印加する。Ａ／Ｄ変換器１１は、フォトダイオード２に流れる逆方向電流を、抵抗Ｒ１の両端電圧として検出し、ディジタル信号に変換して、ＰＤ電流情報として切換制御回路１０に与える。切換制御回路１０は、ＰＤ電流情報をＰＤ電流情報保持回路１２に保持させる。
【００３５】
ＡＰＣ制御回路／ＬＤ駆動回路３は、ＰＤ電流情報保持回路１２に保持されたＰＤ電流情報に基づき、レーザダイオード１の光出力が一定となるように制御する。
また、レーザダイオード１が発光して、バースト送信するこの期間にも、ＡＴＣ制御回路６は、順方向電圧情報保持回路１３に保持された順方向電圧情報に基づき、ＴＥＣ５を駆動制御して、レーザダイオード１の温度を一定に維持する。
【００３６】
切換制御回路１０は、図５のタイミングチャートに示すように、レーザダイオード１が発光せず、バースト送信しない期間（ｃ）（例えば数ミリ秒間）は、ＦＥＴＴ１，Ｔ４をオンに（ａ）、ＦＥＴＴ２，Ｔ３をオフに（ｂ）して、フォトダイオード２に順方向電圧を印加する。Ａ／Ｄ変換器１１は、フォトダイオード２の両端電圧を検出し、ディジタル信号に変換して、順方向電圧情報として切換制御回路１０に与える。切換制御回路１０は、順方向電圧情報を順方向電圧情報保持回路１３に保持させる。
【００３７】
ＡＴＣ制御回路６は、順方向電圧情報保持回路１３に保持された順方向電圧情報に基づき、ＴＥＣ５を駆動制御して、レーザダイオード１の温度を一定に維持する。また、場合によっては、レーザダイオード１の電源をオフにする。
また、レーザダイオード１が発光せず、バースト送信しないこの期間にも、ＡＰＣ制御回路／ＬＤ駆動回路３は、ＰＤ電流情報保持回路１２に保持されたＰＤ電流情報に基づき、レーザダイオード１の光出力が一定となるように制御する。
【００３８】
以上により、従来、温度測定専用に設けられていたサーミスタを除くことにより、工数の低減、歩留まり改善及び信頼性向上等の効果が期待できる。
また、発光素子モジュールには、図７に示すように、従来、サーミスタ用の出力ピンＴｈｅｒｍ１，Ｔｈｅｒｍ２が必要であったが、図６に示すように、サーミスタ用の出力ピンが不要になるので、ＴＯ  ＣＡＮ等の小型パッケージに収容した場合でも、実装が容易になる。その他、低コストパッケージを利用できること、及びリード線を太くできるので、インダクタ成分による高周波特性劣化を抑制できること等の利点も数えることができる。
【００３９】
尚、上述した実施の形態では、Ａ／Ｄ変換器１１によりディジタル変換してサンプルホールドするようにしているが、ディジタル変換を経ずに、アナログ的にサンプルホールドすることも可能である。
また、上述した実施の形態では、フォトダイオード２の両端電圧に基づき、レーザダイオード１の温度を一定に維持しているが、フォトダイオード２自体の光検出の温度特性補償に利用することも可能である。
【図面の簡単な説明】
【００４０】
【図１】本発明に係る発光装置及び送信装置の実施の形態の構成を示すブロック図である。
【図２】フォトダイオードの温度特性を示す特性図である。
【図３】ＰＤ電流／電圧測定回路の構成例を模式的に示すブロック図である。
【図４】図３に示すＰＤ電流／電圧測定回路の構成例を更に具体的に示すブロック図である。
【図５】切換制御回路の動作を示すタイミングチャートである。
【図６】本発明に係る発光装置及び送信装置に使用される発光素子モジュールの外観例を示す斜視図である。
【図７】従来の発光素子モジュールの外観例を示す斜視図である。
【符号の説明】
【００４１】
１  レーザダイオード（発光素子）
２  フォトダイオード
３  ＡＰＣ制御回路／ＬＤ駆動回路
４  ＰＤ電流／電圧測定回路（測定回路）
５  ＴＥＣ
６  ＡＴＣ制御回路
７  発光素子モジュール
８，９  切換回路（印加回路）
１０  切換制御回路（印加回路）
１１  Ａ／Ｄ変換器
１２  ＰＤ電流情報保持回路（電流値保持回路）
１３  順方向電圧情報保持回路（温度値保持回路）
Ｒ１  抵抗
Ｔ１，Ｔ２，Ｔ３，Ｔ４  ＮチャネルＦＥＴ（印加回路）
Ｖcc  電源電圧
【図１】
2007258491.tif 000003
【図２】
2007258491.tif 000004
【図３】
2007258491.tif 000005
【図４】
2007258491.tif 000006
【図５】
2007258491.tif 000007
【図６】
2007258491.tif 000008
【図７】
2007258491.tif 000009